(57)【要約】  【課題】帯電電位を安定しつつ，像保持体の膜磨耗を低減することができる画像形成装置を提供する。  【解決手段】画像形成装置１０は，像保持体４０，直流電圧が印加されて前記像保持体４０を帯電させる帯電装置４２，及び現像剤像が用紙に転写された後の前記像保持体４０を除電する除電装置４６を含む黒用及びその他の色用の像形成部６４と，前記像保持体４０に形成された現像剤像を記録媒体に転写する黒用及びその他の色用の転写ロール６２と，前記黒用の像形成部６４及び前記黒用の転写ロール６２のみを用いる白黒モードにおいて，前記その他の色用の像形成部４０の前記帯電装置４２への帯電バイアスが印加状態であって前記その他の色用の前記転写ロール６２への転写バイアスが非印加状態である間に，前記その他の色用の像形成部６４の前記除電装置４６を一定時間動作状態に制御する制御部３６を有する。【選択図】図１
2009258469.tif 000002
【特許請求の範囲】
【請求項１】
像保持体，直流電圧が印加されて前記像保持体を帯電させる帯電手段，及び現像剤像が用紙に転写された後の前記像保持体を除電する除電手段を含む黒用及びその他の色用の像形成手段と，
前記像保持体に形成された現像剤像を記録媒体に転写する黒用及びその他の色用の転写手段と，
前記黒用の像形成手段及び前記黒用の転写手段のみを用いる白黒モードにおいて，前記その他の色用の像形成手段の前記帯電手段への帯電バイアスが印加状態であって前記その他の色用の前記転写手段への転写バイアスが非印加状態である間に，前記その他の色用の像形成手段の前記除電手段を動作状態と非動作状態とに切り替え制御する制御手段と
を有する画像形成装置。
【請求項２】
前記制御手段は，前記像保持体が１回転される時間以上，前記除電手段を動作状態に保つ
請求項１に記載の画像形成装置。
【請求項３】
前記制御手段は，前記除電手段を動作状態に制御した後，前記像保持体が２回転される時間が経過する前に，前記除電手段を非動作状態に制御する
請求項１又は２に記載の画像形成装置。
【請求項４】
前記制御手段は，記録媒体が搬送された後であってその次の記録媒体が搬送される前に，前記除電装置を制御する
請求項１乃至３のいずれかに記載の画像形成装置。
【請求項５】
前記その他の色用の像形成手段には，少なくともマゼンタ用の像形成手段及びシアン用の像形成手段が含まれ，
前記制御手段は，記録媒体の搬送方向下流に配置されたシアン用の像形成手段から記録媒体が搬送された後であって，当該像形成手段より上流に配置されたマゼンタ用の像形成手段にその次の記録媒体が搬送される前に，前記除電装置を制御する
請求項１乃至３のいずれかに記載の画像形成装置。
【請求項６】
前記制御手段は，記録媒体の搬送方向における最上流に配置された前記転写手段のニップ部を記録媒体が通過した後，前記除電装置を制御する
請求項１乃至３のいずれかに記載の画像形成装置。
【請求項７】
前記制御手段は，前記黒用の像形成手段から記録媒体が搬送された後であって前記黒用の像形成手段にその次の記録媒体が搬送される前に，前記像保持体が１回転される時間以上，前記除電手段を動作状態に保つ
請求項６に記載の画像形成装置。
【請求項８】
前記制御手段は，前記帯電手段への帯電バイアスを制御する場合，予め決められた複数の帯電バイアスから前記除電手段の動作状態及び非動作状態に対応した帯電バイアスを選択する
請求項１乃至７のいずれかに記載の画像形成装置。
【請求項９】
前記制御手段は，前記黒用像形成手段のみを用いる白黒モードにおいて定着装置の空回し動作及び濃度調整動作の少なくともいずれかに同期して，前記除電装置を制御する
請求項１乃至８のいずれかに記載の画像形成装置。
【発明の詳細な説明】
【技術分野】
【０００１】
本発明は，プリンタ，ファクシミリ，複合機等の画像形成装置に関する。
【背景技術】
【０００２】
この種の画像形成装置では，像保持体が帯電装置により帯電され，潜像が光書込み装置により形成され，潜像が現像装置により可視像化され，像保持体に形成された現像剤像が用紙やＯＨＰなどの記録媒体に転写される。像保持体の膜磨耗を抑制する技術として，次のような手法が挙げられる。
【０００３】
特許文献１では，連続印刷時には除電制御をオフかつ転写バイアスをオンし，連続印刷終了後に，感光体が１回転する間，除電制御をオンさせる手法が開示されている。
特許文献２では，停止プロセス時間を短縮することにより，感光体の長寿命化を図る手法が開示されている。
特許文献３では，画像形成時は除電をオンし，前回転及び後回転において除電を一定時間オフし，感光体の長寿命化を図る手法が開示されている。
特許文献４では，残留電荷を消去する除電手段の動作タイミングを制御することにより，画質低下の発生を防止する手法が開示されている。
【０００４】
【特許文献１】特開昭６０−２３２５８４号公報
【特許文献２】特開２００２−３１１７８９号公報
【特許文献３】特開２００５−２０１９９８号公報
【特許文献４】特開２００３−１４０５２６号公報
【発明の開示】
【発明が解決しようとする課題】
【０００５】
本発明は，帯電電位を安定しつつ，像保持体の膜磨耗を低減することができる画像形成装置を提供することを目的とする。
【課題を解決するための手段】
【０００６】
本発明に係る画像形成装置は，像保持体，直流電圧が印加されて前記像保持体を帯電させる帯電手段，及び現像剤像が用紙に転写された後の前記像保持体を除電する除電手段を含む黒用及びその他の色用の像形成手段と，前記像保持体に形成された現像剤像を記録媒体に転写する黒用及びその他の色用の転写手段と，前記黒用の像形成手段及び前記黒用の転写手段のみを用いる白黒モードにおいて，前記その他の色用の像形成手段の前記帯電手段への帯電バイアスが印加状態であって前記その他の色用の前記転写手段への転写バイアスが非印加状態である間に，前記その他の色用の像形成手段の前記除電手段を動作状態と非動作状態とに切り替え制御する制御手段とを有する。
【０００７】
好適には，前記制御手段は，前記像保持体が１回転される時間以上，前記除電手段を動作状態に保つ。
【０００８】
好適には，前記制御手段は，前記除電手段を動作状態に制御した後，前記像保持体が２回転される時間が経過する前に，前記除電手段を非動作状態に制御する。
【０００９】
好適には，前記制御手段は，記録媒体が搬送された後であってその次の記録媒体が搬送される前に，前記除電装置を制御する。
【００１０】
好適には，前記その他の色用の像形成手段には，少なくともマゼンタ用の像形成手段及びシアン用の像形成手段が含まれ，前記制御手段は，記録媒体の搬送方向下流に配置されたシアン用の像形成手段から記録媒体が搬送された後であって，当該像形成手段より上流に配置されたマゼンタ用の像形成手段にその次の記録媒体が搬送される前に，前記除電装置を制御する。
【００１１】
好適には，前記制御手段は，記録媒体の搬送方向における最上流に配置された前記転写手段のニップ部を記録媒体が通過した後，前記除電装置を制御する。
【００１２】
好適には，前記制御手段は，前記黒用の像形成手段から記録媒体が搬送された後であって前記黒用の像形成手段にその次の記録媒体が搬送される前に，前記像保持体が１回転される時間以上，前記除電手段を動作状態に保つ。
【００１３】
好適には，前記制御手段は，前記帯電手段への帯電バイアスを制御する場合，予め決められた複数の帯電バイアスから前記除電手段の動作状態及び非動作状態に対応した帯電バイアスを選択する。
【００１４】
好適には，前記制御手段は，前記黒用像形成手段のみを用いる白黒モードにおいて定着装置の空回し動作及び濃度調整動作の少なくともいずれかに同期して，前記除電装置を制御する。
【発明の効果】
【００１５】
本発明によれば，帯電電位を安定しつつ，像保持体の膜磨耗を低減することができる。
【発明を実施するための最良の形態】
【００１６】
まず，本発明の第１の実施形態に係る画像形成装置１０を説明する。
図１は，本発明の実施形態に係る画像形成装置１０を示す図である。
図１に示すように，画像形成装置１０は，画像形成装置本体１２を有し，画像形成装置本体１２の下部には，給紙装置１４が配置されていると共に，画像形成装置本体１２の上部には排紙部１６が形成されている。
【００１７】
給紙装置１４は，用紙トレイ１８を有し，この用紙トレイ１８に多数の用紙が積層される。この用紙トレイ１８の一端上部には，フィードロール２０が配置されていると共に，このフィードロール２０に対向して捌きロール２２が設けられている。用紙トレイ１８の最上位にある用紙がフィードロール２０によりピックアップされ，フィードロール２０と捌きロール２２との協働により用紙が捌かれて搬送される。
【００１８】
用紙トレイ１８から搬送された用紙は，レジストローラ２４により一時停止され，所定のタイミングにより後述する像保持体ユニット２６と転写ユニット２８との間及び定着装置３０を通って排紙ローラ３２により排紙部１６へ排出される。
【００１９】
画像形成装置本体１２内には，画像形成装置本体１２に対して着脱可能に取り付けられた像保持体ユニット２６，転写ユニット２８，電源ユニット３４，現像剤ボックス５０，光書込み装置５６及び制御部３６が配置されている。制御部３６は，画像形成装置本体１２に含まれる各構成要素を制御する。
【００２０】
像保持体ユニット２６には，例えば４つの像形成部６４が設けられている。像形成部６４には，像保持体４０が，回転自在に支持されている。像保持体４０は，後述する搬送ベルト６０又はこの搬送ベルト６０により搬送される用紙に転写される像を保持する。像保持体４０は，例えば，感光層を有する感光体からなる。像形成部６４において，像保持体４０の周囲には，像保持体４０を帯電する帯電ロールを備えた帯電装置４２，像保持体４０に形成された静電潜像を現像剤で現像する現像装置４４，転写後の像保持体４０を除電する除電装置４６，及び転写がなされた後に像保持体４０に残留する現像剤を除去するクリーニング装置４８が設けられている。
【００２１】
現像剤ボックス５０は，像保持体ユニット２６の裏面側側方に接続されている。現像剤ボックス５０は，現像剤供給部５４と現像剤回収部５２とが一体になって構成されている。現像剤供給部５４は，現像装置４４に接続されて現像剤を現像装置４４に供給し，現像剤回収部５２は，クリーニング装置４８に接続されて各色の現像剤を回収する。現像剤ボックス５０は，例えば，イエロー，マゼンダ，シアン及び黒用である。
【００２２】
光書込み装置５６は，それぞれレーザー露光装置からなり，像保持体ユニット２６の背面側にあって各像保持体４０に対応した位置に配置され，一様に帯電された像保持体４０に対してレーザーを照射して潜像を形成するようになっている。
【００２３】
転写ユニット２８は，像保持体ユニット２６の表側にあって像保持体ユニット２６に対向して縦方向に配置されている。この転写ユニット２８においては，搬送ベルト６０が，上下方向に設けられた二つの支持ロール５８ａ，５０ｂに掛けられている。支持ロール５８ａは，搬送ベルト６０を駆動する駆動ロールとして用いられる。搬送ベルト６０は，用紙などの記録媒体を搬送する。また，転写ロール６２が，搬送ベルト６０を挟んで対向して像保持体４０に設けられている。
【００２４】
駆動源６６は，例えばモーターからなり，像保持体４０，支持ロール５８ａ，５８ｂなど，画像形成装置１０に含まれる構成要素を駆動する。駆動源６６は，画像形成装置１０のメインモーターとして機能する。
【００２５】
したがって，各像保持体４０は，帯電装置４２により一様に帯電され，光書込み装置５６により静電潜像が形成され，現像装置４４により静電潜像が現像剤により可視像化される。各像保持体４０に形成された現像剤像は，転写ユニット２８の搬送ベルト６０により搬送される用紙に転写され，定着装置３０により用紙に定着される。転写後の像保持体４０は，除電装置４６により除電される。
【００２６】
図２は，転写ロール６２への転写バイアスの印加状態を模式的に示す図である。
図２に示すように，４つの像形成部６４は，搬送ベルト６０により搬送される記録媒体の搬送方向において上流から下流に向けて，イエロー（Ｙ）の現像剤を用いてイエロー画像を形成する像形成部６４Ｙ，マゼンタ（Ｍ）の現像剤を用いてマゼンタ画像を形成する像形成部６４Ｍ，シアン（Ｃ）の現像剤を用いてシアン画像を形成する像形成部６４Ｃ，黒色（Ｋ）の現像剤を用いて黒色画像を形成する像形成部６４Ｋの順に配置されている。つまり，黒色画像を形成する像形成部６４は，記録媒体の搬送方向における最下流に配置されている。記録媒体の搬送方向上流は，重力方向下方になる。したがって，記録媒体は，搬送ベルト６０により，重力に逆らう方向に搬送される。
【００２７】
なお，各色の像形成部６４Ｙ，６４Ｍ，６４Ｃ，６４Ｋに対応する像保持体を，それぞれ像保持体４０Ｙ，４０Ｍ，４０Ｃ，４０Ｋと表す。また，像形成部６４Ｙ，６４Ｍ，６４Ｃ，６４Ｋにより形成された現像剤像を記録媒体に転写する転写ロールを，それぞれ転写ロール６２Ｙ，６２Ｍ，６２Ｃ，６２Ｋと表す。以降，構成要素を色毎に識別する場合には，添え字にＹＭＣＫを付けることがある。例えば，像保持体４０Ｙ，４０Ｍ，４０Ｃ，４０Ｋに対応する除電装置４６を，それぞれ除電装置４６Ｙ，４６Ｍ，４６Ｃ，４６Ｋと表すことがある。また，像保持体４０Ｙ，４０Ｍ，４０Ｃ，４０Ｋなど複数ある構成部分のいずれかを特定せずに示す場合には，単に像保持体４０と略記することがある。 
【００２８】
制御部３６は，転写ロール６２Ｙ，６２Ｍ，６２Ｃ，６２Ｋ及び帯電装置４２の印加／非印加状態の制御を行う。また，制御部３６は，除電装置４６Ｙ，４６Ｍ，４６Ｃ，４６Ｋの制御を行う。
【００２９】
色モードがフルカラーモードである場合，画像は，ＹＭＣＫ各色の像形成部６４Ｙ，６４Ｍ，６４Ｃ，６４Ｋにより形成される。具体的には，搬送ベルト６０により搬送中の記録媒体に，像保持体４０Ｙ，４０Ｍ，４０Ｃ，４０Ｋに形成された現像剤像が，ぞれぞれの転写ロール６２Ｙ，６２Ｍ，６２Ｃ，６２Ｋによって転写され，記録媒体にイエロー，マゼンダ，シアン，黒の４色の現像剤像が重ねられたフルカラーの現像剤像が形成される。
【００３０】
フルカラーモードでは，電源ユニット３４は，転写ロール６２Ｙ，６２Ｍ，６２Ｃ，６２Ｋに対して，画像形成時又は記録媒体通過時に，転写バイアスを印加する。即ち，フルカラーモードでは，転写ロール６２Ｙ，６２Ｍ，６２Ｃ，６２Ｋの全てにおいて，画像形成時又は記録媒体通過時に，転写バイアスは印加状態である。またフルカラーモードでは，駆動源６６は，像保持体４０Ｙ，４０Ｍ，４０Ｃ，４０Ｋを駆動し，電源ユニット３４は，帯電装置４２に対して，帯電バイアスを印加する。
【００３１】
帯電バイアスは，直流電圧（ＤＣ）である。制御部３６は，予め決められた複数の帯電バイアスから除電制御のオン／オフ条件に対応する帯電バイアスを選択する。より具体的には，制御部３６は，除電制御オフ条件の帯電バイアスにおいて，除電制御オン条件より低いバイアス値を印加する。なお，選択された帯電バイアスは，除電制御オン／オフ条件と同期していなくてもよい。即ち，画像形成装置１０が動作している間，必要な場合にだけ，帯電バイアスが選択されればよい。
【００３２】
色モードが白黒モードである場合，画像は，黒色の像形成部６４Ｋにより形成される。具体的には，搬送ベルト６０により搬送中の記録媒体に，像保持体４０Ｋに形成された現像剤像が，転写ロール６２Ｋによって転写され，記録媒体に黒色の現像剤像が重ねられた白黒の現像剤像が形成される。
【００３３】
白黒モードでは，電源ユニット３４は，転写ロール６２Ｋのみに対して，画像形成時又は記録媒体通過時に転写バイアスを印加する。即ち，白黒モードでは，転写ロール６２Ｋのみが画像形成時又は記録媒体通過時に印加状態であり，転写ロール６２Ｙ，６２Ｍ，６２Ｃは，画像形成時又は記録媒体通過時においても非印加状態である。また白黒モードでは，フルカラーモード時と同様に，駆動源６６は，像保持体４０Ｙ，４０Ｍ，４０Ｃ，４０Ｋを駆動し，電源ユニット３４は，帯電装置４２に対して，帯電バイアスを印加する。
【００３４】
図３は，制御部３６により制御される駆動源６６，帯電装置４２，転写ロール６２Ｙ，６２Ｍ，６２Ｃ，６２Ｋ，及び除電装置４６Ｙ，４６Ｍ，４６Ｃ，４６Ｋの状態を示すタイミングチャートである。なお，図３は，フルカラーモードの制御タイミングと白黒モードの制御タイミングとを比較するための図であり，図３に示される制御タイミングは，簡略化して表されている。また図中では，メインモーターのオン／オフは像保持体４０の回転／非回転状態を示し，帯電バイアスのオン／オフは帯電装置４２の印加／非印加状態を示し，除電（ＹＭＣＫ）のオン／オフはＹＭＣＫ各色の除電装置４６Ｙ，４６Ｍ，４６Ｃ，４６Ｋの動作状態（イレーズランプ点灯状態）／非動作状態を示し，転写バイアス（ＹＭＣＫ）のオン／オフはＹＭＣＫ各色の転写ロール６２Ｙ，６２Ｍ，６２Ｃ，６２Ｋの印加／非印加状態を示す。
【００３５】
図３（Ａ）は，色モードがフルカラーモードである場合における画像形成時のタイミングチャートを示す。図３（Ａ）に示すように，フルカラーモードでの画像形成時には，像保持体４０Ｙ，４０Ｍ，４０Ｃ，４０Ｋは，駆動源６６により駆動されて回転状態になる。帯電装置４２への帯電バイアスは，像保持体４０Ｙ，４０Ｍ，４０Ｃ，４０Ｋの回転に同期して印加状態になる。同様にして，黒色の除電装置４６Ｋは動作状態になり，黒色の転写ロール６２Ｋへの転写バイアスは画像形成時又は記録媒体通過時に印加状態になる。また，ＹＭＣ色の除電装置４６Ｙ，４６Ｍ，４６Ｃも動作状態になり，ＹＭＣ色の転写ロール６２Ｙ，６２Ｍ，６２Ｃへの転写バイアスも画像形成時又は記録媒体通過時に印加状態になる。
【００３６】
図３（Ｂ）は，色モードが白黒モードである場合における画像形成時のタイミングチャートを示す。図３（Ｂ）に示すように，白黒モードでの画像形成時においても，像保持体４０Ｙ，４０Ｍ，４０Ｃ，４０Ｋは回転状態になり，帯電装置４２への帯電バイアスは，像保持体４０Ｙ，４０Ｍ，４０Ｃ，４０Ｋの回転に同期して印加状態になる。ただし，白黒モードでは，黒色の転写ロール６２Ｋへの転写バイアスは画像形成時又は記録媒体通過時に印加状態になる一方，ＹＭＣ色の転写ロール６２Ｙ，６２Ｍ，６２Ｃへの転写バイアスは非印加状態のままである。また，黒色の除電装置４６Ｋは像保持体４０Ｙ，４０Ｍ，４０Ｃ，４０Ｋの回転に同期して動作状態になる一方，ＹＭＣ色の除電装置４６Ｙ，４６Ｍ，４６Ｃは，黒色の除電装置４６Ｋが動作状態である時間より短い時間Ｔ１だけ動作状態になる。
【００３７】
時間Ｔ１は，像保持体４０が駆動源６６により１回転される時間以上である。また，時間Ｔ１は，像保持体４０が駆動源６６により２回転される時間以下である。即ち，制御部３６は，ＹＭＣ色の除電装置４６Ｙ，４６Ｍ，４６Ｃを動作状態に制御した後，像保持体４０が２回転される時間が経過する前に，除電装置４６Ｙ，４６Ｍ，４６Ｃを非動作状態に制御する。
【００３８】
図４は，本実施形態に係る画像形成装置１０の白黒モード時における制御部３６による除電装置４６Ｙ，４６Ｍ，４６Ｃの制御と搬送される記録媒体の位置との関係を示すタイミングチャートである。なお，図４では，ＹＭＣ色の転写ロール６２Ｙ，６２Ｍ，６２Ｃへの転写バイアスの状態及びＹＭＣ色の除電装置４６Ｙ，４６Ｍ，４６Ｃの動作状態は，独立して示されている。
【００３９】
図４において，破線は，フルカラーモード時においてＹＭＣ色の転写ロール６２Ｙ，６２Ｍ，６２Ｃへの転写バイアスが印加状態になるタイミングを示し，記録媒体が転写ニップ位置を通過している時間を擬似的に示す。図４に示すように，記録媒体は，搬送ベルト６０により，像形成部６４Ｙ，像形成部６４Ｍ，像形成部６４Ｃ，像形成部６４Ｋの順に，搬送される。制御部３６は，除電装置４６Ｙ，４６Ｍ，４６Ｃのそれぞれについて，対応する像形成部６４Ｙ，６４Ｍ，６４Ｃから記録媒体が搬送された後であってその次の記録媒体が搬送される前に，除電装置４６Ｙ，４６Ｍ，４６Ｃを非動作状態から動作状態に制御し，さらに，動作状態から非動作状態に制御する。
【００４０】
記録媒体が搬送されてからその次の記録媒体が搬送されるまでの時間をＴ２とすると，制御部３６は，時間Ｔ２の間に，除電装置４６Ｙ，４６Ｍ，４６Ｃを，一定時間動作状態にする。時間Ｔ２’は，除電から転写までの時間である。このように，制御部３６は，除電装置４６Ｙ，４６Ｍ，４６Ｃのそれぞれを，独立に制御する。なお，記録媒体が搬送されてからその次の記録媒体が搬送されるまでの時間帯を，用紙間ともいう。
【００４１】
以上説明したように，白黒モードでは，ＹＭＣ色の転写ロール６２Ｙ，６２Ｍ，６２Ｃへの転写バイアスは非印加状態であり、また、除電装置Ｙ/Ｍ/Ｃの動作時間を抑制することで、像保持体４０Ｙ，４０Ｍ，４０Ｃの膜磨耗は抑制され，像保持体４０Ｙ，４０Ｍ，４０Ｃの長寿命化に繋がる。また，ＤＣ帯電方式においても，像保持体４０上の電位が不安定になることが防がれる。
【００４２】
次に，本発明の第２の実施形態に係る画像形成装置１０を説明する。
本発明の第２の実施形態に係る画像形成装置１０は，制御部３６が除電装置４６Ｙ，４６Ｍ，４６Ｃを同一のタイミングで制御する点で，第１の実施形態に係る画像形成装置とは異なる。
【００４３】
図５は，本実施形態に係る画像形成装置１０の白黒モード時における制御部３６による除電装置４６Ｙ，４６Ｍ，４６Ｃの制御と搬送される記録媒体の位置との関係を示すタイミングチャートである。
図５に示すように，制御部３６は，除電装置４６Ｙ，４６Ｍ，４６Ｃを，同一のタイミングで制御する。より具体的には，制御部３６は，記録媒体がシアンに対応する像形成部６４Ｃから搬送された後であって，その次の記録媒体がマゼンタに対応する像形成部６４Ｍに搬送される前に，除電装置４６Ｙ，４６Ｍ，４６Ｃを非動作状態から動作状態に制御し，さらに，動作状態から非動作状態に制御する。
【００４４】
記録媒体が像形成部６４Ｃから搬送されてからその次の記録媒体が像形成部６４Ｍに搬送されるまでの時間をＴ３とすると，制御部３６は，時間Ｔ３の間に，除電装置４６Ｙ，４６Ｍ，４６Ｃを，同一のタイミングで一定時間動作状態にする。なお，時間Ｔ３は，マゼンタの用紙間とシアンの用紙間とが重なる時間帯である。これにより，除電のオン／オフ切替時において，帯電電位の若干の変化のためにトナーバンドが生じた場合においても，少なくともマゼンタ・シアンにはトナーバンドが用紙に付着することはなく，イエローは用紙に付着してしまっても目視上見えにくいため，画像欠陥として現れない。
【００４５】
次に，本発明の第３の実施形態に係る画像形成装置１０を説明する。
本発明の第３の実施形態に係る画像形成装置１０は，制御部３６が，最上流に配置された転写ロールのニップ部を記録媒体が通過した後に除電装置４６Ｙ，４６Ｍ，４６Ｃを制御する点で第２の実施形態に係る画像形成装置とは異なる。
【００４６】
図６は，本実施形態に係る画像形成装置１０の白黒モード時における制御部３６による除電装置４６Ｙ，４６Ｍ，４６Ｃの制御と搬送される記録媒体の位置との関係を示すタイミングチャートである。
図６に示すように，制御部３６は，最上流に配置されたイエロー用の転写ロール６２Ｙのニップ部を記録媒体が通過した後に，除電装置４６Ｙ，４６Ｍ，４６Ｃを同一のタイミングで非動作状態から動作状態に制御し，さらに，動作状態から非動作状態に制御する。例えば，制御部３６は，記録媒体がイエロー用の転写ロール６２Ｙのニップ部を記録媒体が通過した直後に，除電装置４６Ｙ，４６Ｍ，４６Ｃを制御する。
【００４７】
したがって，最上流のイエローの転写ニップ部を通過した直後に，除電装置４６Ｙ，４６Ｍ，４６Ｃが制御されるので，除電装置４６Ｙ，４６Ｍ，４６Ｃが動作状態である時間が最大限確保されることが可能となり，生産性を低下させることなく，性能確保することが可能となる。なお，最上流に配置されていない例えば転写ロール６２Ｍ，６２Ｃのニップ部の通過が起点である場合には，画像形成装置１０を停止するタイミング（即ち，メインモーターがオンからオフに制御されるタイミング）が時間的に後ろにずらされる必要があるので，生産性が低下してしまう。
【００４８】
次に，本発明の第４の実施形態に係る画像形成装置１０を説明する。
本発明の第４の実施形態に係る画像形成装置１０は，制御部３６が，記録媒体が黒色に対応する像形成部６４Ｋから搬送された後であってその次の記録媒体が黒色に対応する像形成部６４Ｋに搬送される前に，像保持体４０が１回転される時間以上，除電装置４６Ｙ，４６Ｍ，４６Ｃを動作状態に保つ点で，第３の実施形態に係る画像形成装置とは異なる。
【００４９】
図７は，本実施形態に係る画像形成装置１０の白黒モード時における制御部３６による除電装置４６Ｙ，４６Ｍ，４６Ｃの制御と搬送される記録媒体の位置との関係を示すタイミングチャートである。
図７に示すように，制御部３６は，記録媒体が黒色に対応する像形成部６４Ｋから搬送された後であって，その次の記録媒体が黒色に対応する像形成部６４Ｋに搬送される前に，除電装置４６Ｙ，４６Ｍ，４６Ｃを，同一のタイミングで非動作状態から動作状態に制御し，さらに，動作状態から非動作状態に制御する。記録媒体が像形成部６４Ｋから搬送されてからその次の記録媒体が像形成部６４Ｋに搬送されるまでの時間をＴ４とすると，制御部３６は，時間Ｔ４の間に，除電装置４６Ｙ，４６Ｍ，４６Ｃを，同一のタイミングで動作状態にする。
【００５０】
次に，本発明の第５の実施形態に係る画像形成装置１０を説明する。
本発明の第５の実施形態に係る画像形成装置１０では，制御部３６が，定着装置３０のクールダウン動作に同期して，ＹＭＣ色の除電装置４６Ｙ，４６Ｍ，４６Ｃを制御する。なお，本実施形態における制御は，第１〜４の実施形態に係る画像形成装置１０において実行されてもよい。
【００５１】
図８は，本実施形態に係る画像形成装置１０の白黒モード時における制御部３６による除電装置４６Ｙ，４６Ｍ，４６Ｃの制御と搬送される記録媒体の位置との関係を示すタイミングチャートである。ここで，クールダウン動作は，例えば連続印刷などにより，定着装置３０の温度が閾値より高くなった場合，定着装置３０の温度が所定値に下がるまで定着装置３０を空回しさせる制御である。図８では，定着装置３０のクールダウン動作が実行されている時間を，時間Ｔ５で示す。
【００５２】
図８に示すように，制御部３６は，定着装置３０のクールダウン動作の開始に同期して，除電装置４６Ｙ，４６Ｍ，４６Ｃを非動作状態から動作状態に制御し，クールダウン動作の終了に同期して，除電装置４６Ｙ，４６Ｍ，４６Ｃを動作状態から非動作状態に制御する。なお，制御部３６は，濃度調整時に，クールダウン動作の場合と同様にして，濃度調整制御の開始に同期して，除電装置４６Ｙ，４６Ｍ，４６Ｃを非動作状態から動作状態に制御し，濃度調整制御の終了に同期して，除電装置４６Ｙ，４６Ｍ，４６Ｃを動作状態から非動作状態に制御してもよい。
【図面の簡単な説明】
【００５３】
【図１】本発明の実施形態に係る画像形成装置１０を示す図である。
【図２】転写ロール６２への転写バイアスの印加状態を模式的に示す図である。
【図３】制御部３６により制御される駆動源６６，帯電装置４２，転写ロール６２Ｙ，６２Ｍ，６２Ｃ，６２Ｋ，及び除電装置４６Ｙ，４６Ｍ，４６Ｃ，４６Ｋの状態を示すタイミングチャートである。
【図４】本発明の第１の実施形態に係る画像形成装置１０の白黒モード時における制御部３６による除電装置４６Ｙ，４６Ｍ，４６Ｃの制御と搬送される記録媒体の位置との関係を示すタイミングチャートである。
【図５】本発明の第２の実施形態に係る画像形成装置１０の白黒モード時における制御部３６による除電装置４６Ｙ，４６Ｍ，４６Ｃの制御と搬送される記録媒体の位置との関係を示すタイミングチャートである。
【図６】本発明の第３の実施形態に係る画像形成装置１０の白黒モード時における制御部３６による除電装置４６Ｙ，４６Ｍ，４６Ｃの制御と搬送される記録媒体の位置との関係を示すタイミングチャートである。
【図７】本発明の第４の実施形態に係る画像形成装置１０の白黒モード時における制御部３６による除電装置４６Ｙ，４６Ｍ，４６Ｃの制御と搬送される記録媒体の位置との関係を示すタイミングチャートである。
【図８】本発明の第５の実施形態に係る画像形成装置１０の白黒モード時における制御部３６による除電装置４６Ｙ，４６Ｍ，４６Ｃの制御と搬送される記録媒体の位置との関係を示すタイミングチャートである。
【符号の説明】
【００５４】
１０ 画像形成装置
２６ 像保持体ユニット
２８ 転写ユニット
３０ 定着装置
３４ 電源ユニット
３６ 制御部
４０ 像保持体
４２ 帯電装置
４４ 現像装置
４６ 除電装置
６２ 転写ロール
６４ 像形成部
６６ 駆動源
【図１】
2009258469.tif 000003
【図２】
2009258469.tif 000004
【図３】
2009258469.tif 000005
【図４】
2009258469.tif 000006
【図５】
2009258469.tif 000007
【図６】
2009258469.tif 000008
【図７】
2009258469.tif 000009
【図８】
2009258469.tif 000010